(57)【要約】【課題】意匠性が良好なトイレ用リモコンを提供する。【解決手段】リモコン１０は、トイレ装置の遠隔操作を行うためのトイレ用リモコンである。リモコン１０は、第１操作部１１（操作部）、ケース２０及びカバーパネル３０を備える。ケース２０は、電気部品１３を収納する収納空間２０Ａを形成する。カバーパネル３０は、第１操作部１１に対応する位置に設けられ、透光性を有してケース２０を覆う。【選択図】図１
2020143543.tif 000002
【特許請求の範囲】
【請求項１】
トイレ装置の遠隔操作を行うためのトイレ用リモコンであって、
前記トイレ装置の操作を行う操作部と、
電気部品を収納する収納空間を形成するケースと、
前記操作部に対応する位置に設けられ、透光性を有して前記ケースを覆うカバーパネルと、
を備えているトイレ用リモコン。
【請求項２】
前記ケースは、第１ケース部材と、前記第１ケース部材と組み合わせられる第２ケース部材とを有して前記収納空間を形成し、
前記カバーパネルは、前記第１ケース部材の表面を覆っており、
前記第２ケース部材は、前記カバーパネルの端部を覆う覆い部を具備している請求項１に記載のトイレ用リモコン。
【請求項３】
前記カバーパネルは、表面にシボ加工が施された不透明領域と、透明領域とを具備している請求項１又は請求項２に記載のトイレ用リモコン。
【請求項４】
前記カバーパネルは、裏面に文字、図形、記号、及び模様のうちの少なくとも１つの表示が形成された表示部を有している請求項１から請求項３までのいずれか一項に記載のトイレ用リモコン。
【請求項５】
前記カバーパネルの裏面側には反射層が形成されている請求項１から請求項４までのいずれか一項に記載のトイレ用リモコン。
【請求項６】
前記カバーパネルの端部は、裏面側に湾曲して形成されている請求項１から請求項５までのいずれか一項に記載のトイレ用リモコン。
【請求項７】
前記カバーパネルの表面は平滑面状に形成されている請求項１から請求項６までのいずれか一項に記載のトイレ用リモコン。
【発明の詳細な説明】
【技術分野】
【０００１】
本発明は、トイレ用リモコンに関する。
【背景技術】
【０００２】
特許文献１は従来のトイレ用リモコン装置を開示している。トイレ用リモコン装置はリモコン本体を備えており、このリモコン本体の表面には種々の操作スイッチが配されている。
【先行技術文献】
【特許文献】
【０００３】
【特許文献１】特開２０１１−８４８６７号公報
【発明の概要】
【発明が解決しようとする課題】
【０００４】
特許文献１のトイレ用リモコン装置は、リモコン本体や操作スイッチに対称形状や対称配置等を採用することによって意匠性を高めている。このようなトイレ用のリモコンは意匠性の更なる向上が求められている。
【０００５】
本発明は、上記従来の実情に鑑みてなされたものであって、意匠性を良好にすることができるトイレ用リモコンを提供することを解決すべき課題としている。
【課題を解決するための手段】
【０００６】
本発明のトイレ用リモコンは、トイレ装置の遠隔操作を行うためのトイレ用リモコンであって、
前記トイレ装置を操作する操作部と、
電気部品を収納する収納空間を形成するケースと、
前記操作部に対応する位置に設けられ、透光性を有して前記ケースを覆うカバーパネルと、
を備えている。
【０００７】
トイレ用リモコンは、ケースを覆うカバーパネルが透光性を有している。このため、カバーパネルの表面から裏面までの厚みによって奥行き感を持たせることができる。
【０００８】
したがって、本発明のトイレ用リモコンは、意匠性を良好にすることができる。
【図面の簡単な説明】
【０００９】
【図１】実施例１に係るトイレ用リモコンの前面が表れた斜視図である。
【図２】実施例１に係るトイレ用リモコンの後面が表れた斜視図である。
【図３】実施例１に係るトイレ用リモコンを示す分解斜視図である。
【図４】実施例１に係るトイレ用リモコンを示す図であり、内部構造を省略した横断面図である。
【図５】実施例１に係るトイレ用リモコンを示す図であり、内部構造を省略した縦断面図である。
【図６】実施例１に係るカバーパネルを模式的に示す断面図である。
【図７】実施例１に係るトイレ用リモコンを示す正面図である。
【発明を実施するための形態】
【００１０】
本発明における好ましい実施の形態を説明する。
【００１１】
本発明のトイレ用リモコンにおいて、ケースは、第１ケース部材と、この第１ケース部材と組み合わせられる第２ケース部材とを有して電気部品を収納する収納空間を形成し得る。カバーパネルは、第１ケース部材の表面を覆っており、第２ケース部材は、カバーパネルの端部を覆う覆い部を具備し得る。この場合、第１ケース部材が外側に露出しないようにできるので、意匠性をより良好にすることができる。
【００１２】
本発明のトイレ用リモコンにおいて、カバーパネルは、表面にシボ加工が施された不透明領域と、透明領域とを具備し得る。この場合、透明と不透明との視覚的差異を表すことができるので、意匠性をより良好にすることができる。
【００１３】
本発明のトイレ用リモコンにおいて、カバーパネルは、裏面に文字、図形、記号、及び模様のうちの少なくとも１つの表示が形成された表示部を有し得る。この場合、表示が外面から視認可能でありながら外面に露出しない構成とすることができる。これにより、表示部の表示の摩耗や消失を防ぐことができ、意匠性の低下を抑制することができる。
【００１４】
本発明のトイレ用リモコンにおいて、カバーパネルの裏面側には反射層が形成され得る。この場合、カバーパネルよりも内側の部分が透けるのを抑制することができる。
【００１５】
本発明のトイレ用リモコンにおいて、カバーパネルの端部は、裏面側に湾曲して形成され得る。この場合、意匠性をより良好にすることができる。
【００１６】
本発明のトイレ用リモコンにおいて、カバーパネルの表面は平滑面状に形成され得る。この場合、表面に凹凸が形成されている場合と比較して、意匠性をより良好にすることができる。
なお、上記「平滑面状」とは、段差や突起等のないことを意図するものであって、微細な凹凸（例えば、シボ加工、ブラスト処理等の表面処理によるもの等）がないことを意図するものではない。
【００１７】
次に、本発明のトイレ用リモコンを具体化した実施例１について、図１〜図７を参照しつつ説明する。なお、以下の説明において、上下方向については図５、及び図７の上下方向を基準とし、前後左右方向については、図４の上下左右方向を基準とする。
【００１８】
＜実施例１＞
実施例１のトイレ用リモコン１０（以下、単にリモコン１０とも表記する）は、トイレ装置（図示せず）の遠隔操作を行うための装置である。図１及び図２に示すように、リモコン１０は、上下方向が左右方向に比して長く、かつ前後方向にやや偏平な柱状の外形形状をなしている。リモコン１０は、前面側に配置された第１操作部１１（本発明に係る操作部として例示する）と、後面側に配置された第２操作部１２とを備えている。第１操作部１１は、トイレ装置の便蓋や便座の開閉機能、温水シャワー機能、便器洗浄機能等の操作を行うための操作部である。第１操作部１１は、静電容量式のタッチスイッチを採用している。第２操作部１２は、上述のトイレ装置の各種機能の設定操作を行うための操作部である。第２操作部１２は有接点式スイッチを採用している。リモコン１０は、図示しないホルダを介してトイレ室の壁面に着脱自在に取り付けられる。リモコン１０は、後面を壁面に対向させた形態で壁面のホルダに取り付けられる。
【００１９】
図１〜３に示すように、リモコン１０は、ケース２０及びカバーパネル３０を備えている。ケース２０は、上述のスイッチ類や後述する光源６０等を有して構成される電気部品１３を収納するための収納空間２０Ａを形成している。ケース２０は、前面側となる第１ケース部材４０と、後面側となる第２ケース部材５０とを有して構成されている。第１ケース部材４０及び第２ケース部材５０は、それぞれアクリロニトリルブタジエンスチレン（ＡＢＳ）等の硬質な合成樹脂製である。第１ケース部材４０及び第２ケース部材５０は、互いに組み合わせられることで収納空間２０Ａを形成している。第１ケース部材４０及び第２ケース部材５０は、後面側の第２ケース部材５０側から締結される複数のタッピングビス１４によって組み合わせられる。
【００２０】
図３〜図５に示すように、第１ケース部材４０は、前壁部４１、側壁部４２、上端壁部４３、及び下端壁部４４を有している。前壁部４１は、中心から左右側方に向かうにつれて後方に緩やかに湾曲して形成されている。前壁部４１の裏面には、タッピングビス１４が締結されるボス４５が複数箇所に設けられている。前壁部４１の下部には、表裏に貫通して形成された貫通孔４１Ａが形成されている。貫通孔４１Ａは左右方向を長手方向とする矩形状の角孔である。貫通孔４１Ａは、電気部品１３としての後述する光源６０を収納空間２０Ａ内で点灯させた際に、光源６０からの光がケース２０の外部に現れるようにするための窓孔である。
【００２１】
図３及び図４に示すように、側壁部４２は、前壁部４１の左右の両端から後方に向かって延出する形態で左右一対設けられている。側壁部４２は、基端側（前壁部４１との連結部位側）が先端側よりも内側（裏面側）に張り出した段差状に形成されている。各側壁部４２の表面には係止部４６が設けられている。図３に示すように、係止部４６は、上下方向に並んで複数設けられている。各係止部４６は、後述するカバーパネル３０の被係止部３３にそれぞれ係止する。実施例１において、係止部４６及び被係止部３３は、所謂スナップフィット構造による係止形態を採用している。このうち、係止部４６は、突出して形成された爪部である。
【００２２】
図３及び図５に示すように、上下の端壁部４３，４４は、前壁部４１の上下の両端から後方に向かって延出する形態でそれぞれ設けられている。各端壁部４３，４４は、側壁部４２と同様に、基端側（前壁部４１との連結部位側）が先端側よりも内側（裏面側）に張り出した段差状に形成されている。上端壁部４３及び下端壁部４４の左右の端部は、各側壁部４２の上下の端部にそれぞれ連結されている。このような形態の上下の端壁部４３，４４は、側壁部４２と合わせて、前壁部４１の外周縁を取り囲む形態の周壁を形成しているといえる。
【００２３】
図３〜図５に示すように、第２ケース部材５０は、後壁部５１、外側壁部５２（本発明に係る覆い部として例示する）、上壁部５３、下壁部５４、内側壁部５５、及び内端壁部５６を有している。後壁部５１は、中心から左右側方に向かうにつれて前方に緩やかに湾曲する形態で形成されている。図４及び図５に示すように、後壁部５１には、ざぐり孔５１Ａ、凹部５１Ｂ、及び収納部５１Ｃが形成されている。ざぐり孔５１Ａは、第２ケース部材５０と第１ケース部材４０との組み合わせに用いられるタッピングビス１４が挿入される。ざぐり孔５１Ａは、凹部５１Ｂの底面及び収納部５１Ｃの底面の複数箇所に形成されている。
【００２４】
図２及び図５に示すように、凹部５１Ｂは、後壁部５１の表面を前方側（裏面側）に凹状に陥没して形成されている。凹部５１Ｂは、後壁部５１の上端側の部位から過半までの大きな範囲で形成されている。凹部５１Ｂには第２操作部１２が設けられている。凹部５１Ｂの底面は平坦に形成されており、第２操作部１２のスイッチ用の複数の孔５１Ｄと、第２操作部１２を操作した際に設定画面が表示される小型液晶画面（ＬＣＤ）用の孔５１Ｅとが表裏に貫通して形成されている。凹部５１Ｂの底面には銘板１５が両面テープ（図示せず）によって張り付けられる。銘板１５は、ポリエチレンテレフタレート（ＰＥＴ）等の透明樹脂シートに印刷を施して形成されている。
なお、凹部５１Ｂは、リモコン１０を壁面に固定する際のホルダとの係合部位でもある。リモコン１０は、凹部５１Ｂにホルダを嵌め込むことにより、リモコン１０及びホルダの少なくとも一方に配された図示しない磁石の磁力によって係合状態が保持される。
【００２５】
図２及び図５に示すように、収納部５１Ｃは、凹部５１Ｂの下方に隣接して形成されている。収納部５１Ｃは、電気部品１３用の電源となる乾電池が収納される部位である。収納部５１Ｃは蓋部材１６が嵌め込まれることによって閉塞され、その内側空間が隠蔽される。蓋部材１６の表面は、収納部５１Ｃに嵌め込まれた状態において後壁部５１の表面の曲面形状に連続する曲面形状に形成されている。
【００２６】
図４に示すように、外側壁部５２は後壁部５１の左右両端部に設けられている。
外側壁部５２は、後壁部５１の曲面形状に連続する形態の曲面形状をなしており、後壁部５１の左右の端部から前方に向かって更に湾曲しつつ突出して形成されている（図２参照）。外側壁部５２はカバーパネル３０の端部を覆う。具体的には、外側壁部５２は、カバーパネル３０の後述するパネル側部３２の端部３２Ａを覆う。
【００２７】
図５に示すように、上壁部５３及び下壁部５４は、後壁部５１の上下の両端から前方に向かって延出する形態でそれぞれ設けられている。上壁部５３及び下壁部５４は、それぞれ平板状をなしている。上壁部５３及び下壁部５４の平面視における外形形状は、前後に略対称な形状である。具体的には、上壁部５３及び下壁部５４は、平面視における後端側の外形形状が後壁部５１及び外側壁部５２の表面形状に沿った湾曲した形状をなしている。上壁部５３及び下壁部５４の前端側の外形形状は、後述するカバーパネル３０の表面形状に沿った湾曲した形状をなしている。
【００２８】
図４に示すように、内側壁部５５は、後壁部５１の左右の両端部にそれぞれ設けられている。各内側壁部５５は、それぞれ平板状をなしている。内側壁部５５は、後壁部５１の裏面から前方に向かって延出して形成されている。換言すると、内側壁部５５は、後壁部５１の端部から前方に湾曲して形成された外側壁部５２の内面との間に所定間隔の隙間５０Ａを形成した形態で、後壁部５１の裏面（内面）から平板状に突出して形成されている。図４に示すように、内側壁部５５は、第２ケース部材５０が第１ケース部材４０と組み合わされた状態において、その前端面が第１ケース部材４０の側壁部４２の段差に突き当てられるとともに、外側面が側壁部４２の内側面に重ね合わされる。
【００２９】
図５に示すように、内端壁部５６は、上壁部５３及び下壁部５４の内側となる後壁部５１の裏面に立設されている。各内端壁部５６は、上壁部５３及び下壁部５４から中心方向側に所定の間隔を空けてそれぞれ設けられている。各内端壁部５６は、後壁部５１の裏面から前方に向かって延出して形成されている。換言すると、内端壁部５６は、上壁部５３及び下壁部５４の各内面との間に所定間隔の隙間５０Ｂを形成した形態で、後壁部５１の裏面（内面）から平板状に突出して形成されている。図５に示すように、内端壁部５６は、第２ケース部材５０が第１ケース部材４０と組み合わされた状態において、その前端面が第１ケース部材４０の上下の端壁部４３，４４の段差に突き当てられるとともに、外側面が端壁部４３，４４の内側面に重ね合わされる。
【００３０】
カバーパネル３０は、第１操作部１１に対応する位置に設けられ、透光性を有してケース２０を覆う。実施例１において、カバーパネル３０は、図４及び図５に示すように、第１ケース部材４０の表面を覆う。これにより、リモコン１０は、カバーパネル３０の表面と第２ケース部材５０の表面は露出しており、第１ケース部材４０の表面はカバーパネル３０に覆い隠されている。図４に示すように、カバーパネル３０の裏面の形状は、第１ケース部材４０の表面形状に倣った凹状に湾曲した形状を有している。これにより、カバーパネル３０は、第１ケース部材４０に組み付けられた際には、その裏面と第１ケース部材４０の表面（前壁部４１及び側壁部４２の表面）とが重ね合わされるようにして第１ケース部材４０が嵌め込まれる。カバーパネル３０の表面は、前面から側面に至るまで、全面的に凹凸のない平滑面状に形成されている。
【００３１】
図４に示すように、カバーパネル３０は、パネル前部３１及びパネル側部３２を有している。パネル前部３１は、中心から左右の端部に向かうにつれて後方に緩やかに湾曲する形態で形成されている。パネル側部３２はパネル前部３１の左右両端部に連なって設けられている。パネル側部３２は、パネル前部３１の曲面形状に連続する形態の曲面形状をなしており、パネル前部３１の左右の端部から後方に向かって更に湾曲しつつ突出して形成されている。
【００３２】
図３に示すように、パネル側部３２の表面には被係止部３３が設けられている。被係止部３３は、上下方向に並んで複数設けられている。各被係止部３３は、第１ケース部材４０に設けられた上述の係止部４６とそれぞれ係止する。カバーパネル３０と第１ケース部材４０とは、係止部４６及び被係止部３３の係止によって組み合わされた状態が保持される。実施例１において、被係止部３３は孔部であり、爪部である係止部４６とスナップフィット構造により係止する。なお、カバーパネル３０と第１ケース部材４０とは、係止部４６及び被係止部３３による係止のみならず、パネル前部３１の裏面と前壁部４１の表面との間に介在する図示しない両面テープによる接着もなされて組み合わせた状態が保持される。
【００３３】
図４に示すように、パネル側部３２の端部３２Ａは、外側壁部５２に覆われている。具体的には、パネル側部３２は、基端側（パネル前部３１側）が先端側よりも外側に張り出した段差状に形成されている。組み付け状態において、パネル側部３２は、その段差に外側壁部５２の前端面が突き合わされるとともに、先端側の外面が外側壁部５２の内面に重ね合わされる。このように組み合わされたカバーパネル３０の表面と第２ケース部材５０の表面とは、前後方向で段差なく連続した面が形成される。
【００３４】
実施例１において、カバーパネル３０は複数の層を有して形成されている。具体的には、図６に示すように、カバーパネル３０は、基層３０Ａ、印刷層３０Ｂ、第１塗装層３０Ｃ、及び第２塗装層３０Ｄを有している。基層３０Ａはポリカーボネート（ＰＣ）等の透明な樹脂製である。印刷層３０Ｂは基層３０Ａの裏面に形成されている。印刷層３０Ｂは、文字、図形、記号、模様等の表示等を印刷したものであり、基層３０Ａの裏面に部分的又は全面的に形成され得る。具体的には、実施例１の場合、印刷層３０Ｂは、第１操作部１１に相当する部位にトイレ装置の操作に関する複数のピクトグラムを印刷したもの（図７参照）と、これら複数のピクトグラムの下方であって第１ケース部材４０の貫通孔４１Ａに相当する部位にロゴマークを印刷したもの（図７参照）とが形成されている。これら印刷層３０Ｂは複数箇所に分割されて形成されている。ピクトグラムを印刷した印刷層３０Ｂは、後述する第１表示部３４（図７参照）を構成する。ロゴマークを印刷した印刷層３０Ｂは、後述する第２表示部３５（図７参照）を構成する。
【００３５】
第１塗装層３０Ｃは、印刷層３０Ｂの上から基層３０Ａの裏面に全体的に塗膜を形成した層である。第１塗装層３０Ｃは、ケース２０の色と同様又は同系の色の塗装により層を形成している。第２塗装層３０Ｄは第１塗装層３０Ｃの上から更に塗膜を形成した層である。第２塗装層３０Ｄは、銀色の金属光沢を有する色の塗装としている。この第２塗装層３０Ｄによって表面からの入射光を反射させ、カバーパネル３０よりも内側の部分の透けを抑制している。
【００３６】
図６及び図７に示すように、カバーパネル３０は、表面に不透明領域３０Ｅ及び透明領域３０Ｆを具備している。不透明領域３０Ｅは、基層３０Ａの表面にシボ加工等の表面処理を施した領域である。透明領域３０Ｆは表面処理を施していない領域である。透明領域３０Ｆは、印刷層３０Ｂのうち、第１操作部１１に対応する部位の表面に形成されている。不透明領域３０Ｅは透明領域３０Ｆ以外の部位の表面全体に形成されている。不透明領域３０Ｅは、表面処理を施したことにより、透光性は有するが透明ではない。
【００３７】
図７に示すように、カバーパネル３０は、第１表示部３４及び第２表示部３５を有している。第１表示部３４及び第２表示部３５は、それぞれカバーパネル３０の裏面に印刷層３０Ｂが形成されている部位である。具体的には、第１表示部３４はトイレ装置の操作に関するピクトグラムが表示された部位である。第２表示部３５はロゴマークが表示された部位である。第１表示部３４は透明領域３０Ｆに設けられている。このため、第１表示部３４では、裏面に印刷されている印刷層３０Ｂによるピクトグラムが明瞭に視認可能である。一方、第２表示部３５は、不透明領域３０Ｅに設けられている。このため、第２表示部３５では、裏面に印刷されている印刷層３０Ｂによるロゴマークが朦朧とした輪郭で視認可能である。このように、第１表示部３４及び第２表示部３５は、印刷層３０Ｂにより形成された表示を透明領域３０Ｆ及び不透明領域３０Ｅという表面処理の異なる領域に設けられたことによって、それぞれ異なる雰囲気の表示がなされる。
【００３８】
実施例１のリモコン１０は光源６０を備えている。光源６０は、電気部品１３の一部を構成している。図５に示すように、光源６０は、第２表示部３５の後方の収納空間２０Ａに配置されている。光源６０は、例えば３色ＬＥＤである。光源６０は、異なる色で発光可能であるとともに、点灯、点滅等の異なる発光状態の制御がなされる。これにより、第１操作部１１又は第２操作部１２の操作の良否や電源状態等を発光色や発光状態の違いによって報知することができるようにされている。光源６０は、第１ケース部材４０の貫通孔４１Ａを通過して第２表示部３５を背後から照射可能に設けられており、点灯することによって第２表示部３５の表示であるロゴマークを浮かび上がらせるように表示させることができる。
【００３９】
次に、実施例１のリモコン１０の作用効果について説明する。
リモコン１０を組み立てる際には、まず、カバーパネル３０と第１ケース部材４０とを組み付ける。具体的には、第１ケース部材４０の前壁部４１の表面に両面テープ（図示せず）を張り付け、この状態でカバーパネル３０を第１ケース部材４０に重ね合わせる。そして、カバーパネル３０側の被係止部３３と第１ケース部材４０側の係止部４６とを係止する。係止部４６及び被係止部３３の係止はスナップフィット構造によるものであるので、容易に組み付けることができる。次に、電気部品１３を第２ケース部材５０に組み付ける。リモコン１０において、電気部品１３は第２ケース部材５０にビス止めにより固定される。
【００４０】
その後、カバーパネル３０と第１ケース部材４０との組立体と、電気部品１３と第２ケース部材５０との組立体を組み付ける。この時、カバーパネル３０の左右両側のパネル側部３２の端部３２Ａを、第２ケース部材５０の外側壁部５２と内側壁部５５との間の隙間５０Ａに挿入する。すると、パネル側部３２の段差に外側壁部５２の前端面が突き合わされるとともに、パネル側部３２の先端側の外面が外側壁部５２の内面に重ね合わされる。これにより、カバーパネル３０の端部であるパネル側部３２の端部３２Ａが覆い部としての外側壁部５２によって覆われる（図４参照）。この状態において、カバーパネル３０の表面と第２ケース部材５０の表面とが前後方向で段差なく連続する。
【００４１】
また、カバーパネル３０と第１ケース部材４０との組立体と、電気部品１３と第２ケース部材５０との組立体をこのように組み付けることで、第１ケース部材４０の側壁部４２も隙間５０Ａに挿入される。すると、側壁部４２の段差に第２ケース部材５０の内側壁部５５の前端面が突き当てられるとともに、側壁部４２の内側面が内側壁部５５の外側面に重ね合わされる（図４参照）。これにより、係止部４６及び被係止部３３は、係止状態で５２と５５の間に挟持される。すなわち、カバーパネル３０と第１ケース部材４０との組立体と、電気部品１３と第２ケース部材５０との組立体の組付け状態では、係止部４６及び被係止部３３の係止を解除し難い状態となる。
【００４２】
また、この時、第１ケース部材４０の上下の端壁部４３，４４を、第２ケース部材５０の上壁部５３と上側の内端壁部５６の間、及び下壁部５４と下側の内端壁部５６の間の各隙間５０Ｂに挿入する。すると、上下の端壁部４３，４４の段差に上下の端壁部４３，４４の各段差に内端壁部５６の前端面が突き合わされるとともに、端壁部４３，４４の内面と内端壁部５６の外面とが重ね合わされる（図５参照）。また、上壁部５３及び下壁部５４によって、カバーパネル３０及び第１ケース部材４０の組立体の上下の端面が覆われる。すなわち、カバーパネル３０の上下の端面、及び第１ケース部材４０の上下の端面が、上壁部５３及び下壁部５４によってそれぞれ覆われる。
【００４３】
最後に、タッピングビス１４をざぐり孔５１Ａに挿入して締結する（図４参照）。そして、銘板１５を凹部５１Ｂに両面テープにより張り付ける（図４及び図５参照）とともに、蓋部材１６を収納部５１Ｃに嵌め込む（図５参照）と、リモコン１０の組み立てが完了する。
【００４４】
このようなリモコン１０は、図１に示すように、前面には凹凸や隙間のない意匠となっている。また、透光性を有したカバーパネル３０によって奥行き感を持った意匠とされる。また、前面を構成するカバーパネル３０の表面の曲面が、後面を構成する第２ケース部材５０の表面の曲面に滑らかに連続している。このように、リモコン１０は、全体として、すっきりとした良質な意匠を実現している。
【００４５】
リモコン１０を用いてトイレ装置を操作する際には、第１操作部１１を操作する。第１操作部１１は、静電容量式のタッチスイッチを採用している。第１操作部１１は、カバーパネル３０の表面の第１操作部１１に対応する位置に指を配置することでその位置が読み取られ、これによりトイレ装置の操作が実行される。このように、第１操作部１１は静電容量式のタッチスイッチを採用したことにより、押しボタンスイッチ等を採用した場合とは異なり、表面に凹凸のない面一な形状を採用することができる。
なお、リモコン１０は、第１操作部１１に指等を配置し、それをタッチスイッチが検知した時には、振動モータ等の振動によって、検知したことを使用者に把握させることができるようになっている。
【００４６】
以上のように、リモコン１０は、トイレ装置の遠隔操作を行うためのトイレ用リモコンであって、電気部品１３を収納する収納空間２０Ａを形成するケース２０と、透光性を有してケース２０を覆うカバーパネル３０とを備える。これにより、カバーパネル３０の表面から裏面までの厚みによって奥行き感を持たせることができる。
【００４７】
したがって、リモコン１０は、意匠性を良好にすることができる。
【００４８】
また、ケース２０は、第１ケース部材４０と、この第１ケース部材４０と組み合わせられる第２ケース部材５０とを有して電気部品１３を収納する収納空間２０Ａを形成している。そして、カバーパネル３０は、第１ケース部材４０の表面を覆っており、第２ケース部材５０は、カバーパネル３０の端部であるパネル側部３２の端部３２Ａを覆う覆い部である外側壁部５２を具備している。このため、第１ケース部材４０が外側に露出しない構成とすることができ、意匠性をより良好にすることができる。
【００４９】
また、カバーパネル３０は、表面にシボ加工が施された不透明領域３０Ｅと、透明領域３０Ｆとを具備している。これにより、同じ透光性であっても透明と不透明との視覚的差異を表すことができ、意匠性をより良好にすることができる。
【００５０】
また、カバーパネル３０は、裏面に文字、図形、記号、及び模様のうちの少なくとも１つの表示が形成された表示部としての第１表示部３４及び第２表示部３５を有している。このため、表示が外面から視認可能でありながら外面に露出していない構成とすることができる。これにより、表示の摩耗や消失を防ぐことができ、意匠性の低下を抑制することができる。また、第１表示部３４及び第２表示部３５の表示を印刷層３０Ｂによりそれぞれ形成したので、表示部の容易な形成を実現することができる。
【００５１】
また、カバーパネル３０の裏面側には反射層である第２塗装層３０Ｄが形成されている。このため、カバーパネル３０よりも内側の部分が透けるのを抑制することができる。
【００５２】
また、カバーパネル３０の端部であるパネル側部３２は、第２ケース部材５０側に向かって延出する形態で湾曲して形成されている。このため、意匠性をより良好にすることができる。
【００５３】
また、カバーパネル３０の表面は平滑面状に形成されている。このため、表面に凹凸が形成されている場合と比較して、意匠性をより良好にすることができる。
【００５４】
本発明は上記記述及び図面によって説明した実施例に限定されるものではなく、例えば次のような実施例も本発明の技術的範囲に含まれる。
（１）実施例１では、リモコンが特定の外形形状を有する形態を例示したが、本発明に係るトイレ用リモコンの形状は特に限定されず、例えば、円柱状、角柱状、球状、楕円球状等の立体形状やこれらを部分的に組み合わせた立体形状等、種々の形状であることができる。
（２）実施例１では、リモコンが壁面に取り付けられたホルダに着脱自在に設けられた形態を例示したが、本発明に係るトイレ用リモコンは、壁面に着脱不能に取り付けられていてもよいし、ホルダ等に取り付けられない独立した可搬型のものであってもよい。
（３）実施例１では、リモコンの各部材を特定材料を用いて形成する形態を例示したが、本発明に係るトイレ用リモコンにおいて、各部材に用いられる材料等は実施例１に限定されるものではない。
（４）実施例１では、ケースが第１ケース部材と第２ケース部材とを有して構成された形態を例示したが、本発明に係るケースは１又は３以上の部材により構成されていてもよい。
（５）実施例１では、カバーパネルが不透明領域と透明領域とを具備する形態を例示したが、これは必須ではない。本発明において、カバーパネルは、透光性を有する形態の不透明領域のみを具備する形態や、透明領域のみを具備する形態であってもよい。また、不透明領域を形成するにあたっては、シボ加工以外の他の表面処理加工を採用してもよいし、シート材を張り付けたり、塗装を施したりなど他の層を形成することによって不透明領域を設けてもよい。
（６）実施例１では、表示部として印刷により形成されたものを例示したが、表示部を形成する場合には、例えば、シートの貼付や塗装等、印刷以外の手段によって形成されていてもよい。また、表示部の表示内容も実施例１に限定されない。
（７）実施例１では、反射層として銀色の塗膜を形成する形態を例示したが、本発明に係る反射層は、金属めっきや金属蒸着等、他の形態のものであってもよい。
（８）実施例１では、係止部が爪部であり、被係止部が孔部である構成を例示したが、その反対の構成や、一方の部材に爪部と孔部が混在する構成等であってもよい。また、係止形態はスナップフィット構造によるものに限定されず、他の形態を採用してもよい。
（９）実施例１では、カバーパネルがケースを前面から側面にかけて覆う形態を例示したが、本発明に係るカバーパネルはこれに限定されない。カバーパネルは、例えば、ケースの前面のみを覆う形態であってもよい。
（１０）実施例１では、カバーパネルが、操作部としての第１操作部に対応する位置以外の部分にも設けられてケースを覆う形態を例示したが、操作部に対応する部分のみに設けられてケースを覆う形態等、ケースの一部のみを覆う形態であってもよい。
【符号の説明】
【００５５】
１０…トイレ用リモコン
１１…第１操作部（操作部）
１３…電気部品
２０…ケース
２０Ａ…収納空間
３０…カバーパネル
３０Ｄ…第２塗装層（反射層）
３０Ｅ…不透明領域
３０Ｆ…透明領域
３２Ａ…端部（カバーパネルの端部）
３４…第１表示部（表示部）
３５…第２表示部（表示部）
４０…第１ケース部材
５０…第２ケース部材
５２…外側壁部（覆い部）
【図１】
2020143543.tif 000003
【図２】
2020143543.tif 000004
【図３】
2020143543.tif 000005
【図４】
2020143543.tif 000006
【図５】
2020143543.tif 000007
【図６】
2020143543.tif 000008
【図７】
2020143543.tif 000009